(57)【要約】【課題】所定のカード装着位置に装着されたカードの左右方向に対するガタツキを防止できるカード用コネクタ装置の提供。【解決手段】第１凹部１ｆ及び第２凹部１ｇと、接触部材１ａとを有する第１カード１が挿入され、接触部材１ａが接触する第１端子部材６、第２端子部材７を有し、ハウジング４と、カバー部材５とから成る本体とを備え、カバー部材５に、第１カード１の凹部１ｆ，１ｇに係合し、所定のカード装着位置に装着された第１カード１の挿抜方向に直交する左右方向の揺動を規制する第１係合部材１５、第２係合部材１６を備えた。【選択図】      図４
2004296268.tif 000002
【特許請求の範囲】
【請求項１】
表面または裏面に形成される凹部と、信号処理に用いられる接触部材とを有するカードが挿入され、上記接触部材が接触する端子部材を有する本体を備え、
この本体に、上記カードの上記凹部に係合し、所定のカード装着位置に装着された上記カードの挿抜方向に直交する左右方向の揺動を規制する係合部材を備えたことを特徴とするカード用コネクタ装置。
【請求項２】
上記請求項１記載の発明において、
上記カードの上記凹部が、上記カードが挿入される挿入口側に位置する前縁部と、この前縁部に対向する後縁部と、これらの前縁部、後縁部に連なる左縁部、右縁部とを有し、
上記カードに、このカードを引き抜く方向の力が与えられた際に、上記係合部材が上記後縁部に係合し、上記カードに、このカードを左右方向に揺動させる力が与えられた際に、上記係合部材が上記左縁部及び上記右縁部のいずれか該当する縁部に係合するように、上記係合部材の形状寸法を設定したことを特徴とするカード用コネクタ装置。
【請求項３】
上記請求項２記載の発明において、
上記凹部を、上記カードの全体の中央部分よりも手前側であって、このカードの側縁部の近傍位置に設けたことを特徴とするカード用コネクタ装置。
【請求項４】
上記請求項１記載の発明において、
上記カードの上記凹部が、上記カードの奥側に位置する前端部に略平行に延設され、上記カードが挿入された際に、上記カードが挿入される挿入口に近い側に位置する前縁部と、この前縁部に対向するように形成され、上記挿入口から遠い側に位置する後縁部を有する溝部から成り、
上記カードに、このカードを引き抜く方向の力が与えられた際に、上記係合部材が上記後縁部に係合し、上記カードに、このカードを左右方向に揺動させる力が与えられた際に、上記係合部材が上記前縁部及び上記後縁部の少なくとも一方に係合するように、上記係合部材の形状寸法を設定したことを特徴とするカード用コネクタ装置。
【請求項５】
上記請求項４記載の発明において、
上記凹部を、上記カードの中央部分よりも奥側に位置させたことを特徴とするカード用コネクタ装置。
【請求項６】
上記請求項１〜５のいずれかに記載の発明において、
上記本体が、上記端子部材が設けられるハウジングと、このハウジングを覆う金属製のカバー部材とから成るとともに、
上記係合部材を、上記カバー部材の上面に設けたことを特徴とするカード用コネクタ装置。
【請求項７】
上記請求項６記載の発明において、
上記係合部材が、上記カードの上記凹部に嵌入される凸部を有することを特徴とするカード用コネクタ装置。
【請求項８】
上記請求項１記載の発明において、
上記カードが、基準幅を有する第１カードから成るとともに、１枚の上記第１カードが挿入される右側挿入空間と、別の１枚の上記第１カードが挿入される左側挿入空間とを有し、２枚の上記第１カードを左右に並べて挿入可能であるとともに、
上記係合部材が、上記右側挿入空間に挿入された上記第１カードの凹部に係合可能な第１係合部材と、上記左側挿入空間に挿入された上記第１カードの凹部に係合可能な第２係合部材とを含むことを特徴とするカード用コネクタ装置。
【請求項９】
上記請求項８記載の発明において、
上記右側挿入空間と上記左側挿入空間とを連通させるとともに、その連通させた上記右側挿入空間、上記左側挿入空間を含む空間領域に、上記第１カードの上記基準幅の２倍の幅寸法を有する第２カードが挿入可能であることを特徴とするカード用コネクタ装置。
【発明の詳細な説明】
【０００１】
【発明の属する技術分野】
本発明は、情報記憶機能を有する小型カード等のカードの挿入が可能なカード用コネクタ装置に関する。
【０００２】
【従来の技術】
従来のカード用コネクタ装置として、使用されるカードが一側縁の側方に開口する凹部を有するものから成り、このカードの凹部に係合する弾性片から成るロックアームすなわち係合部材を備え、所定のカード装着位置において、カードの凹部に係合部材が係合することにより、この所定のカード装着位置に装着されたカードの抜け止めを実現させたものがある（例えば、特許文献１参照。）。
【０００３】
【特許文献１】
特開２０００−２７７２０７公報
（段落番号００２８，００２９，００４４〜００４７、図１０〜１３）
【０００４】
【発明が解決しようとする課題】
上述した従来技術は、所定のカード装着位置において、カードの凹部に係合部材が係合することにより、所定のカード装着位置に装着されたカードの例えば振動等による不測の抜け出しを防止することができる。しかし、所定のカード装着位置に装着されたカードの側方に隙間や空間部が形成されている場合に問題がある。
【０００５】
例えば、図１２に示すように、端子部材３１を備えたコネクタ装置３０の所定のカード装着位置にカード３２が装着された際に、カード３２の右方向に空間が形成されている場合には、カード３２に矢印３３で示す右方向の力が与えられたときに、カード３２が左右方向に揺動してしまう虞がある。同様に、図１３に示すように、所定のカード装着位置に装着されたカード３２に、矢印３４で示す左方向の力が与えられたときも、カード３２が左右方向に揺動してしまう虞がある。なお、所定のカード装着位置に装着されたカード３２に、振動等により図１４の矢印３５で示す引き抜き方向の力が与えられた場合には、上述の従来技術は有効であり、上述したようにカードの不測の抜け出しを防ぐことができる。
【０００６】
すなわち、上述した従来技術は、所定のカード装着位置に装着されたカードの側方に隙間や空間部が形成されている場合には、カードに与えられる左右方向の力によって、カードが揺動しガタを生じ、カードの信号処理に用いられる接触部材と、コネクタ装置の端子部材との間で接触不良を起こす懸念がある。このような接触不良を生じると、信号処理性能が劣化してしまう。また、上述したカードのガタツキによって、係合部材とカードの凹部との係合が外れる懸念がある。このように係合部材とカードの凹部との係合が外れると、振動等によりカードが抜け出てしまうことが考えられ、コネクタ装置としての信頼性が著しく低下する。
【０００７】
本発明は、上述した従来技術における実状からなされたもので、その目的は、所定のカード装着位置に装着されたカードの左右方向のガタツキを防止することができるカード用コネクタ装置を提供することにある。
【０００８】
【課題を解決するための手段】
上記目的を達成するために、本発明は、表面または裏面に形成される凹部と、信号処理に用いられる接触部材とを有するカードが挿入され、上記接触部材が接触する端子部材を有する本体を備え、この本体に、上記カードの上記凹部に係合し、所定のカード装着位置に装着された上記カードの挿抜方向に直交する左右方向の揺動を規制する係合部材を備えたことを特徴としている。
【０００９】
このように構成した本発明は、所定のカード装着位置において、カードの表面または裏面に形成された凹部に、本体に設けられた係合部材が係合することにより、カードの挿抜方向に直交する左右方向の揺動が規制される。すなわち、カードに左右方向に揺動させる力が与えられてもカードは揺動せず、その左右方向のガタツキを防ぐことができ、カードを所定のカード装着位置に安定した状態で保持させることができる。
【００１０】
また本発明は、上記発明において、上記カードの上記凹部が、上記カードが挿入される挿入口側に位置する前縁部と、この前縁部に対向する後縁部と、これらの前縁部、後縁部に連なる左縁部、右縁部とを有し、上記カードに、このカードを引き抜く方向の力が与えられた際に、上記係合部材が上記後縁部に係合し、上記カードに、このカードを左右方向に揺動させる力が与えられた際に、上記係合部材が上記左縁部及び上記右縁部のいずれか該当する縁部に係合するように、上記係合部材の形状寸法を設定したことを特徴としている。
【００１１】
このように構成した本発明は、所定のカード装着位置に装着されたカードに振動等によって引き抜き方向の力が与えられた場合には、係合部材がカードの凹部の後縁部に係合する。したがって、カードを正規の引き抜き力である所定の力以上の力で引き抜かない限りは、そのカードを所定のカード装着位置に安定した状態で保持させることができる。すなわち、振動等によるカードの不測の抜け出しを防ぐことができる。また、所定のカード装着位置に装着されたカードに左右方向に揺動させる力が与えられた場合には、係合部材がカードの凹部の左縁部あるいは右縁部に係合する。これにより、カードは揺動せず、その左右方向のガタツキを防ぐことができる。
【００１２】
また本発明は、上記発明において、上記凹部を、上記カードの全体の中央部分よりも手前側であって、このカードの側縁部の近傍位置に設けたことを特徴としている。
【００１３】
また本発明は、上記発明において、上記カードの上記凹部が、上記カードの奥側に位置する前端部に略平行に延設され、上記カードが挿入された際に、上記カードが挿入される挿入口に近い側に位置する前縁部と、この前縁部に対向するように形成され、上記挿入口から遠い側に位置する後縁部を有する溝部から成り、上記カードに、このカードを引き抜く方向の力が与えられた際に、上記係合部材が上記後縁部に係合し、上記カードに、このカードを左右方向に揺動させる力が与えられた際に、上記係合部材が上記前縁部及び上記後縁部の少なくとも一方に係合するように、上記係合部材の形状寸法を設定したことを特徴としている。
【００１４】
このように構成した本発明は、所定のカード装着位置に装着されたカードに振動等による引き抜き方向の力が与えられた場合には、係合部材が溝部の後縁部に係合する。したがって、このような振動等によるカードの不測の抜け出しを防ぐことができる。
【００１５】
また、所定のカード装着位置に装着されているカードに左右方向に揺動させる力が与えられた場合には、係合部材がカードの溝部の前縁部、後縁部の少なくとも一方に係合する。これによりカードは揺動せず、その左右方向のカードのガタツキが防止される。
【００１６】
また本発明は、上記発明において、上記凹部を、上記カードの中央部分よりも奥側に位置させたことを特徴としている。
【００１７】
また本発明は、上記発明において、上記本体が、上記端子部材が設けられるハウジングと、このハウジングを覆う金属製のカバー部材とから成るとともに、上記係合部材を、上記カバー部材の上面に設けたことを特徴としている。
【００１８】
このように構成した本発明は、係合部材をカバー部材の上面に設けたことから、カードの側方に係合部材を設ける領域を要しない。したがって、カード挿抜方向に直交する装置の幅方向の寸法を小さく抑えることができる。
【００１９】
また本発明は、上記発明において、上記係合部材が、上記カードの上記凹部に嵌入される凸部を有することを特徴としている。
【００２０】
また本発明は、上記発明において、上記カードが、基準幅を有する第１カードから成るとともに、１枚の上記第１カードが挿入される右側挿入空間と、別の１枚の上記第１カードが挿入される左側挿入空間とを有し、２枚の上記第１カードを挿入可能であるとともに、上記係合部材が、上記右側挿入空間に挿入された上記第１カードの凹部に係合可能な第１係合部材と、上記左側挿入空間に挿入された上記第１カードの凹部に係合可能な第２係合部材とを備えたことを特徴としている。
【００２１】
このように構成した本発明は、２枚の第１カードを左右に並べて所定のカード装着位置に装着させることができ、信号処理能力を高めることができる。また、右側挿入空間に挿入された第１カードの左方向への揺動は、第１係合部材で規制でき、左側挿入空間に挿入された第１カードの右方向への揺動は第２係合部材で規制できる。
【００２２】
また本発明は、上記発明において、上記右側挿入空間と上記左側挿入空間とを連通させるとともに、その連通させた上記右側挿入空間、上記左側挿入空間を含む空間領域に、上記第１カードの上記基準幅の２倍の幅寸法を有する第２カードが挿入可能であることを特徴としている。
【００２３】
このように構成した本発明は、２倍幅の１枚の第２カードも挿入でき、信号処理能力をさらに高めることができる。
【００２４】
【発明の実施の形態】
以下，本発明のカード用コネクタ装置の実施形態を図に基づいて説明する。
【００２５】
［第１実施形態で使用可能な第１カード］
図１は本発明のコネクタ装置の第１実施形態で使用される基準幅を有する第１カードを示す図で、（ａ）図は平面図、（ｂ）図は側面図、（ｃ）図は裏面図、（ｄ）図は背面図である。
【００２６】
この第１カード１は、基準幅を有する。この第１カード１は、図１の（ｄ）図に示すように、信号処理に用いられる接触部材１ａを備えるとともに、奥側に位置する前端部１ｂの付近の中央部分の裏面に、山形部１ｅを有する。また、この山形部１ｅを挟むように、隅部のそれぞれに、山形部１ｅよりも厚さ寸法を小さく設定した段差部１ｃ，１ｄを有する。
【００２７】
さらに、この第１カード１の全体の中央部分よりも手前側であって、第１カード１の両側縁部の近傍位置の表面または裏面、例えば表面に、有底の第１凹部１ｆ、第２凹部１ｇを有する。これらの凹部１ｆ，１ｇのそれぞれは、第１カード１が挿入される後述の挿入口側に位置する前縁部１ｆ１，１ｇ１と、これらの前縁部１ｆ１，１ｇ１に対向する後縁部１ｆ４，１ｇ４とを有する。また、前縁部１ｆ１，１ｇ１に連なる左縁部１ｆ２，１ｇ２と、右縁部１ｆ３，１ｇ３を有する。すなわち、これらの凹部１ｆ，１ｇは、前縁部１ｆ１，１ｇ１、左縁部１ｆ２，１ｇ２、右縁部１ｆ３，１ｇ３、及び後縁部１ｆ４，１ｇ４を有する長方形状に形成してある。
【００２８】
［第１実施形態で使用可能な第２カード］
図２は本発明の第１実施形態で使用される２倍幅を有する第２カードを示す図で、（ａ）図は平面図、（ｂ）図は側面図、（ｃ）図は背面図、（ｄ）図は裏面図である。
【００２９】
この第２カード２は、第１カード１の幅寸法すなわち基準幅の２倍の幅寸法を有する。この第２カード２は、図１の（ｃ）図に示すように、信号処理に用いられる第１接触部材２ａ、第２接触部材２ｂを備えるとともに、奥側に位置する前端部２ｃ付近の中央部分、両隅部のそれぞれに、厚さ寸法を小さく設定した段差部２ｆ，２ｄ，２ｅを有する。また、段差部２ｆと段差部２ｄの間に、第１山形部２ｇを有し、段差部２ｆと段差部２ｅの間に第２山形部２ｈを有する。
【００３０】
さらに、この第２カード２の全体の中央部分よりも手前側であって、第２カード２の両側縁部の近傍位置の例えば表面に、有底の第１凹部２ｉ，第２凹部２ｊを有する。これらの凹部２ｉ，２ｊのそれぞれは、図２の（ａ）図に示すように、第２カード２が挿入される後述の挿入口側に位置する前縁部２ｉ１，２ｊ１と、これらの前縁部２ｉ１，２ｊ１に対向する後縁部２ｉ４，２ｊ４とを有する。また、前縁部２ｉ１，２ｊ１、後縁部２ｉ４，２ｊ４に連なる左縁部２ｉ２，２ｊ２と、右縁部２ｉ３，２ｊ３を有する。すなわち、これらの凹部２ｉ，２ｊは、前縁部２ｉ１，２ｊ１、左縁部２ｉ２，２ｊ２、右縁部２ｉ３，２ｊ３、及び後縁部２ｉ４，２ｊ４を有する長方形状に形成してある。
【００３１】
［第１実施形態の構成］
図３は本発明のカード用コネクタ装置の第１実施形態を示す図で、（ａ）図は平面図、（ｂ）図は正面図、（ｃ）図は側面図、（ｄ）図は（ａ）図のＡ−Ａ断面図である。
【００３２】
図４は図３に示す第１実施形態に第１カードを挿入した状態を示す図で、（ａ）図は平面図、（ｂ）図は（ａ）図のＢ−Ｂ断面図、（ｃ）図は（ａ）図のＣ−Ｃ断面図である。
【００３３】
図５は図３に示す第１実施形態の所定のカード装着位置に第１カードを装着させたときのカバー部材を除いた平面図である。
【００３４】
図６は図３に示す第１実施形態の所定のカード装着位置に第２カードを装着させたときのカバー部材を除いた平面図である。
【００３５】
これらの図３〜６に示す第１実施形態は、本体がハウジング４と、このハウジング４を覆う金属製のカバー部材５とから成っている。この本体内に、図４等に示すように、２枚の第１カード１を左右に並べて挿入可能な右側挿入空間８と、左側挿入空間９とを有する。これらの右側挿入空間８と左側挿入空間９とは連通させてあり、１つの空間領域を形成している。
【００３６】
右側挿入空間８側のハウジング４の奥側位置には、図５等に示すように、第１カード１の接触部材１ａ、及び第２カード２の第１接触部材２ａが接触可能で、外部信号系統に接続される第１端子部材６を設けてある。同様に、左側挿入空間９側のハウジング４の奥側位置には、第１カード１の接触部材１ａ、及び第２カード２の第２接触部材２ｂが接触可能で、外部信号系統に接続される第２端子部材７を設けてある。
【００３７】
装置奥側に位置するハウジング４上には、中央部に凸部１３を設けてあり、両隅部のそれぞれに凸部１１，１２を設けてある。凸部１３と凸部１１との間に、あるいは凸部１３と凸部１２との間に、第１カード１の山形部１ｅが嵌挿されるようになっている。また、凸部１３と凸部１１との間に第２カード２の第１山形部２ｇが、凸部１３と凸部１２との間に第２カード２の第２山形部２ｈが、それぞれ嵌挿されるようになっている。
【００３８】
装置の手前側が、第１カード１あるいは第２カード２が挿入される挿入口１４を形成している。
【００３９】
上述したカバー部材５の例えば上面の、挿入口１４近傍の右側縁付近、左側縁付近のそれぞれには、カバー部材５の一部を帯状にプレス切断加工して成り、弾性を有する第１係合部材１５、第２係合部材１６を設けてある。これらの第１係合部材１５、第２係合部材１６は、所定のカード装着位置に装着された第１カード１の挿抜方向に直交する左右方向の揺動を規制する係合部材を構成している。
【００４０】
第１係合部材１５は、右側挿入空間８に挿入されて所定のカード装着位置に装着された第１カード１の第１凹部１ｆ、あるいは挿入された第２カード２の第１凹部２ｉに嵌入される凸部１５ａを有する。同様に、第２係合部材１６は、左側挿入空間９に挿入されて所定のカード装着位置に装着された第１カード１の第２凹部１ｇ、あるいは挿入された第２カード２の第２凹部２ｊに嵌入される凸部１６ａを有する。
【００４１】
なお、第１カード１に、この第１カード１を引き抜く方向の力が与えられた際に、第１係合部材１５の凸部１５ａが第１カード１の第１凹部１ｆの後縁部１ｆ４に係合し、あるいは第２係合部材１６の凸部１６ａが第１カード１の第２凹部１ｇの後縁部１ｇ４に係合するように、第１係合部材１５、第２係合部材１６の形状寸法を設定してある。
【００４２】
また、第１カード１に、この第１カード１を左右方向に揺動させる力が与えられた際に、第１係合部材１５の凸部１５ａが第１カード１の第１凹部１ｆの左縁部１ｆ２、右縁部１ｆ３のいずれかに係合し、第２係合部材１６の凸部１６ａが第１カード１の第２凹部１ｇの左縁部１ｇ２、右縁部１ｇ３のいずれかに係合するように、第１係合部材１５、第２係合部材１６の形状寸法を設定してある。
【００４３】
［第１カードの挿入動作］
例えば、第１カード１を図４に示す挿入口１４から右側挿入空間８に向けて挿入し、所定のカード装着位置まで至る間は、同図４の（ｃ）図に例示するように、第１カード１の表面に凸部１５ａが当ることによって第１係合部材１５は撓められ、所定のカード装着位置まで押し込むと、同図４の（ｂ）図に示すように、自身の保有する弾性により第１係合部材１５の凸部１５ａが第１カード１の第１凹部１ｆに嵌入される。すなわち、第１係合部材１５と第１カード１の第１凹部１ｆとが係合する。このように第１カード１が右側挿入空間８の所定のカード装着位置に装着された場合には、図５に示すように、第１カード１の山形部１ｅが、この第１実施形態の装置奥側の凸部１３と凸部１１との間に嵌挿され、この第１カード１が位置決めされる。そして、第１カード１の接触部材１ａと第１端子部材６とが接触する。この状態において、右側挿入空間８に挿入された第１カード１に対する信号の送受信が可能となる。
【００４４】
また例えば、このように右側挿入空間８の所定のカード装着位置に１枚の第１カード１が装着されている状態において、左側挿入空間９に向けて別の１枚の第１カード１が挿入口１４から挿入されると、所定のカード装着位置において、第２係合部材１６の凸部１６ａが第１カード１の第２凹部１ｇに嵌入される。すなわち、第２係合部材１６と第１カード１の第２凹部１ｇとが係合する。このように第２カード２が左側挿入空間９の所定のカード装着位置に装着された場合には、第１カード１の山形部１ｅが、この第１実施形態の装置奥側の凸部１３と凸部１２との間に嵌挿され、この第１カード１の接触部材１ａと第２端子部材７とが接触する。この状態において、左側挿入空間９に挿入された第１カード１に対する信号の送受信が可能となる。
【００４５】
すなわち、左右に２枚並べられた第１カード１のそれぞれに対する信号の送受信が可能となる。
【００４６】
［第２カードの挿入動作］
第２カード２を図６に示す挿入口１４から右側挿入空間８と左側挿入空間９を含む空間領域に挿入し、所定のカード装着位置まで押し込むと、第１係合部材１５の凸部１５ａ、第２係合部材１６の凸部１６ａのそれぞれが、第２カード２の第１凹部２ｉ、第２凹部２ｊのそれぞれに嵌入される。このように第２カード２が所定のカード装着位置に装着された場合には、図６に示すように、第２カード２の第１山形部２ｇが、この第１実施形態の凸部１３と凸部１１との間に嵌挿される。また、第２カード２の第２山形部２ｈが、この第１実施形態の凸部１３と凸部１２との間に嵌挿される。第２カード２の第１接触部材２ａは第１端子部材６に接触し、第２カード２の第２接触部材２ｂは第２端子部材７に接触する。したがって、この状態において第２カード２に対する信号の送受信が可能となる。
【００４７】
［第１カードの左右方向の揺動規制］
図７は、上述した第１実施形態の所定のカード装着位置に装着された第１カードに右方向の外力が与えられた状態を示す平面図である。
【００４８】
図８は上述した第１実施形態の所定のカード装着位置に装着された第１カードに左方向の外力が与えられた状態を示す平面図である。
【００４９】
例えば図７に示すように、第１カード１が左側挿入空間９の所定のカード装着位置に装着され、右側挿入空間８に第１カード１が装着されていない状態において、矢印２０に示すように、第１カード１に右方向の外力が与えられたものとする。このときには、第２係合部材１６の凸部１６ａの左側縁部が第１カード１の第２凹部１ｇの左縁部１ｇ２に当り、第１カード１は揺動しないように規制される。
【００５０】
また、図８に示すように、第１カード１が左側挿入空間９の所定のカード装着位置に装着され、右側挿入空間８に第１カード１が挿入されていない状態において、矢印２１に示すように、第１カード１に左方向の外力が与えられたものとする。このときには、主に第１カード１の左側縁部がハウジング４の左壁部に当ることにより、第１カード１は揺動しないように規制される。なおこの場合、第２係合部材１６の凸部１６ａの右側縁部が第１カード１の第２凹部１ｇの右縁部１ｇ３に当る傾向となる。このことは第１カード１の揺動規制に貢献する。
【００５１】
また例えば、第１カード１が右側挿入空間８の所定のカード装着位置に装着され、左側挿入空間９に第１カード１が装着されていない状態において、図８の矢印２１で示す左方向の外力が第１カード１に与えられたものとする。このときには、第１係合部材１５の凸部１５ａの右縁部が第１カード１の第１凹部１ｆの右縁部１ｆ３に当り、第１カード１は揺動しないように規制される。
【００５２】
また、上述のように第１カード１が右側挿入空間８の所定のカード装着位置に装着され、左側挿入空間９に第１カード１が装着されていない状態において、図７の矢印２０で示す右方向の外力が第１カード１に与えられたものとする。このときには、主に第１カード１の右側縁部がハウジングの右壁部に当ることにより、第１カード１は揺動しないように規制される。なおこの場合、第１係合部材１５の凸部１５ａの左側縁部が第１カード１の第１凹部１ｆの左縁部１ｇ２に当る傾向となる。このことは第１カード１の揺動規制に貢献する。
【００５３】
なお、１枚の第１カード１が右側挿入空間８の所定のカード装着位置に装着され、別の１枚の第１カード１が左側挿入空間９の所定のカード装着位置に装着されている状態において、第１カード１の左右方向に外力が与えられた場合には、ハウジング４の左壁部、右壁部、及び２枚の第１カード１の互いに対向する側縁部によりこれらの２枚の第１カード１の揺動が規制される。
【００５４】
［第１カードの抜け出し防止］
図９は上述した第１実施形態の所定のカード装着位置に装着された第１カード１に引き抜く方向の力が与えられた状態を示す平面図である。
【００５５】
この図９に示すように、例えば左側挿入空間９の所定のカード装着位置に第１カード１が装着された状態において、矢印２２に示す力が第１カード１に与えられたものとする。例えば、このときの力が振動等により生じたもので、正規の引き抜き力よりも小さいときには、第２係合部材１６の凸部１６ａが第１カード１の第２凹部１ｇの後縁部１ｇ４に当る。これにより挿入口１４からの第１カード１の不測の抜け出しが防止される。
【００５６】
右側挿入空間８の所定のカード装着位置に第１カード１が装着された状態で、図９の矢印２２に示すような引き抜き方向の力が第１カード１に与えられたときも同様である。このときには、第１係合部材１５の凸部１５ａが第１カード１の第１凹部１ｆの後縁部１ｆ４に当り、これにより挿入口１４からの第１カード１の不測の抜け出しが防止される。
【００５７】
なお、第２カード２が所定のカード装着位置に装着された状態で、図７の矢印２０で示したような右方向の外力、あるいは図８の矢印２１で示した左方向の外力が第２カード２に与えられた場合には、ハウジング４の左壁部、右壁部によってこの第２カード２の揺動が規制される。
【００５８】
この第２カード２に図９の矢印２２で示すような引き抜き方向の力が与えられた場合には、第２カード２の第１凹部２ｉの後縁部２ｉ４に第１係合部材１５の凸部１５ａが当り、第２カード２の第２凹部２ｊの後縁部２ｊ４に第２係合部材１６の凸部１６ａが当る。これらにより、挿入口１４からの第２カード２の不測の抜け出しが防止される。
【００５９】
このように構成した第１実施形態によれば、右側挿入空間８の所定のカード装着位置に第１カード１が装着され、左側挿入空間９の第１カード１が挿入されていない状態における第１カード１の左右方向の揺動を防止できる。同様に、左側挿入空間９の所定のカード装着位置に第１カード１が装着され、右側挿入空間８に第１カード１が挿入されていない状態における第１カード１の左右方向の揺動を防止できる。すなわち、所定のカード装着位置に装着された第１カード１のガタツキを防止できる。これにより、第１カード１の接触部材１ａと第１端子部材６あるいは第２端子部材７との接触不良を防ぐことができ、高い信号処理性能を確保できる。また、第１カード１の抜け出しを防止でき、信頼性の高い装置とすることができる。
【００６０】
また、第１カード１に振動等によって引き抜き方向の力が与えられたときには、第１係合部材１５の凸部１５ａが第１カード１の第１凹部１ｆの後縁部１ｆ４に当り、あるいは第２係合部材１６の凸部１６ａが第１カード１の第２凹部１ｇの後縁部１ｇ４に当る。これらにより、振動等による第１カード１の挿入口１４からの不測の抜け出しを防止でき、装置の信頼性の向上に貢献する。
【００６１】
また、第１係合部材１５、第２係合部材１６をカバー部材５の上面に設けてあることから、装置全体の幅寸法を抑えることができ、装置の小型化を実現できる。
【００６２】
また、第１係合部材１５、第２係合部材１６をカバー部材５にプレス切断加工で形成したことから、これらの第１係合部材１５、第２係合部材１６をカバー部材５の製作時に同時に製作できる。すなわち、カバー部材５とは別な部品として設けなくて済み、部品点数が抑えられ、製作費を安くすることができる。
【００６３】
また、２枚の第１カード１を左右に並べて所定のカード装着位置に装着させることができるので、信号処理性能を高めることができる。
【００６４】
さらに、２倍幅の第２カード２も所定のカード装着位置に装着させることができ、信号処理性能をより高めることができる。
【００６５】
図１０は本発明の第２実施形態を示す図で、（ａ）図は平面図、（ｂ）図は正面図、（ｃ）図は側面図、（ｄ）図は（ａ）図のＤ−Ｄ断面図である。
【００６６】
図１１は図１０に示す第２実施形態で使用される基準幅を有する第１カードを示す図で、（ａ）図は平面図、（ｂ）図は側面図、（ｃ）図は裏面図、（ｄ）図は背面図である。
【００６７】
［第２実施形態で使用可能な第１カード］
図１１の（ａ）図に示すように、第２実施形態で使用可能な第１カード１は、例えば表面に形成される凹部が、奥側に位置する前端部１ｂに対して略平行に延設される溝部１ｈから成っている。この溝部１ｈは、挿入口１４から第１カード１が挿入された際に、挿入口１４に近い側に位置する前縁部１ｈ１と、この前縁部１ｈ１に対向するように形成され、挿入口１４から遠い側に位置する後縁部１ｈ２とを有する有底のものから成っている。
【００６８】
この第１カード１のその他の構成は、図１に示す第１カード１から第１凹部１ｆ及び第２凹部１ｇを除いたものと例えば同等である。
【００６９】
図示しないが、第２実施形態で使用可能な２倍幅を有する第２カード２の構成も、表面に形成される凹部として、図１１に示すのと同様な溝部を備えている。その他の構成は、図２に示す第２カード２から第１凹部２ｉ及び第２凹部２ｊを除いたものと例えば同等である。
【００７０】
［第２実施形態の構成］
この第２実施形態は、図１０の（ａ）図に示すように、装置の奥側の右側縁部付近、左側縁部付近のそれぞれに、カバー部材５を帯状にプレス切断加工して成り、弾性を有する第１係合部材２５、第２係合部材２６を設けてある。第１係合部材２５は、右側挿入空間８に挿入され所定のカード装着位置に装着された第１カード１の溝部１ｈ、あるいは挿入された第２カード２の溝部に嵌入される凸部２５ａを有する。同様に、第２係合部材２６は、左側挿入空間９に挿入され所定のカード装着位置に装着された第１カード１の溝部１ｈ、あるいは挿入された第２カード２の溝部に嵌入される凸部２６ａを有する。
【００７１】
その他の構成は、図３に示すものから第１係合部材１５、第２係合部材１６を除いたものと同等の構成にしてある。
【００７２】
なお、第１カード１に、この第１カード１を引き抜く方向の力が与えられた際に、第１係合部材２５の凸部２５ａ、または第２係合部材２６の凸部２６ａが溝部１ｈの後縁部１ｈ２に係合するように、第１係合部材２５、第２６の形状寸法を設定してある。
【００７３】
また、第１カード１に、この第１カード１を左右方向に揺動させる力が与えられた際に、第１係合部材２５の凸部２５ａ、あるいは第２係合部材２６の凸部２６ａが、第１カード１の溝部１ｈの前縁部１ｈ１及び後縁部１ｈ２の少なくとも一方に係合するように、第１係合部材２５、第２係合部材２６の形状寸法を設定してある。
【００７４】
［第１カードの挿入動作］
例えば第１カード１を右側挿入空間８の所定のカード装着位置に装着させた際、第１カード１の接触部材１ａと第１端子部材６とが接触するとともに、第１係合部材２５の凸部２５ａが第１カード１の溝部１ｈに嵌入される。この状態において、右側挿入空間８に挿入された第１カード１に対する信号の送受信が可能となる。
【００７５】
また例えば、このように右側挿入空間８の所定のカード装着位置に第１カード１が装着されている状態において、さらに左側挿入空間９の所定のカード装着位置に別の第１カード１を装着させると、第１カード１の接触部材１ａと第２端子部材７とが接触する。これとともに、第２係合部材２６の凸部２６ａが第１カード１の溝部１ｈに嵌入される。この状態において、左側挿入空間９に挿入された第１カード１に対する信号の送受信が可能となる。
【００７６】
また、図示しない第２カード２を所定のカード装着位置に装着させると、第１接触部材２ａが第１端子部材６に接触し、第２接触部材２ｂが第２端子部材７に接触する。これとともに、第１係合部材２５の凸部２５ａ、第２係合部材２６の凸部２６ａのそれぞれが第２カードの溝部に嵌入される。この状態において、第２カード２に対する信号の送受信が可能となる。
【００７７】
［第１カードの左右方向の揺動規制］
例えば、第１カード１が左側挿入空間９の所定のカード装着位置に装着され、右側挿入空間８に第１カード１が装着されていない状態において、前述した図７の矢印２０に示すように、第１カード１に右方向の外力が与えられたものとする。このときには、第２係合部材１６の凸部１６ａが例えば第１カード１の溝部１ｈの前縁部１ｈ１、後縁部１ｈ２のそれぞれに当り、第１カード１は揺動しないように規制される。
【００７８】
また、第１カード１が左側挿入空間９の所定のカード装着位置に装着され、右側挿入空間８に第１カード１が装着されていない状態において、前述した図８の矢印２１に示すように、第１カード１に左方向の外力が与えられるものとする。このときには、主に第１カード１はハウジング４の左壁部に当ることによって揺動が規制される。なおこの場合、第２係合部材１６の凸部１６ａは第１カード１の溝部１ｈの前縁部１ｈ１、後縁部１ｈ２に当る傾向となる。このことは第１カード１の揺動規制に貢献する。
【００７９】
また例えば、第１カード１が右側挿入空間８の所定のカード装着位置に装着され、左側挿入空間９に第１カード１が装着されていない状態において、前述した図８の矢印２１で示すように、第１カード１の左方向への外力が与えられたものとする。このときには、第１係合部材１５の凸部１５ａが例えば第１カード１の溝部１ｈの前縁部１ｈ１、後縁部１ｈ２のそれぞれに当り、第１カード１は揺動しないように規制される。
【００８０】
また、第１カード１が右側挿入空間８の所定のカード装着位置に装着され、左側挿入空間９に第１カード１が装着されていない状態において、前述した図７の矢印２０で示すように、第１カード１の右方向への外力が与えられたものとする。このときには、主に第１カード１はハウジング４の右壁部に当ることによって揺動が規制される。なおこの場合、第１係合部材１５の凸部１５ａが、第１カード１の溝部１ｈの前縁部１ｈ１、後縁部１ｈ２に当る傾向となる。このことは第１カード１の揺動の規制に貢献する。
【００８１】
なお、右側挿入空間８、左側挿入空間９の所定のカード装着位置のそれぞれに第１カード１が装着されている状態では、ハウジング４の左壁部、右壁部、及びこれらの第１カード１の互いに対向する側縁部によって、この第１カード１の揺動が規制される。
【００８２】
［第１カードの抜け出し防止］
また、右側挿入空間８の所定のカード装着位置、あるいは左側挿入空間９の所定のカード装着位置に第１カード１が装着されている状態において、前述した図９の矢印２２で示すように、振動等による引き抜き方向の力が第１カード１に与えられたものとする。このとき、第１係合部材２５の凸部２５ａ、あるいは第２係合部材２６の凸部２６ａが第１カード１の溝部１ｈの後縁部１ｈ４に当る。これにより、挿入口１４からの第１カード１の不測の抜け出しを生じないように規制される。
【００８３】
所定のカード装着位置に装着された第２カード２に振動等により引き抜き力が与えられたときには、第２カード２の溝部の後縁部に第１係合部材２５の凸部２５ａ、第２係合部材２６の凸部２６ａが当る。これにより、挿入口１４からの第２カード２の不測の抜け出しを生じないように規制される。
【００８４】
このように構成した第２実施形態も、第１係合部材２５、あるいは第２係合部材２６により、第１カード１の挿抜方向と直交する左右方向の揺動、すなわちガタツキの防止と、振動等による第１カード１の抜け出しの防止を実現でき、第１実施形態と同等の効果が得られる。
【００８５】
【発明の効果】
本発明は、以上の構成にしてあることから、所定のカード装着位置に装着されたカードの挿抜方向に直交する左右方向に隙間あるいは空間部が存在していても、その左右方向に対する揺動を規制し、このカードのガタツキを防止できる。これにより、ガタツキに伴うカードの接触部材と端子部材との接触不良を防ぐことができ、高い信号処理性能を確保できる。また、振動等によるカードの抜け出しを防止でき、信頼性の高い装置を得ることができる。
【図面の簡単な説明】
【図１】本発明のコネクタ装置の第１実施形態で使用される基準幅を有する第１カードを示す図で、（ａ）図は平面図、（ｂ）図は側面図、（ｃ）図は裏面図、（ｄ）図は背面図である。
【図２】本発明の第１実施形態で使用される２倍幅を有する第２カードを示す図で、（ａ）図は平面図、（ｂ）図は側面図、（ｃ）図は背面図、（ｄ）図は裏面図である。
【図３】本発明のコネクタ装置の第１実施形態を示す図で、（ａ）図は平面図、（ｂ）図は正面図、（ｃ）図は側面図、（ｄ）図は（ａ）図のＡ−Ａ断面図である。
【図４】図３に示す第１実施形態に第１カードを挿入した状態を示す図で、（ａ）図は平面図、（ｂ）図は（ａ）図のＢ−Ｂ断面図、（ｃ）図は（ａ）図のＣ−Ｃ断面図である。
【図５】図３に示す第１実施形態の所定のカード装着位置に第１カードを装着させたときのカバー部材を除いた平面図である。
【図６】図３に示す第１実施形態の所定のカード装着位置に第２カードを装着させたときのカバー部材を除いた平面図である。
【図７】図３に示す第１実施形態の所定のカード装着位置に装着された第１カードに右方向の外力が与えられた状態を示す平面図である。
【図８】図３に示す第１実施形態の所定のカード装着位置に装着された第１カードに左方向の外力が与えられた状態を示す平面図である。
【図９】図３に示す第１実施形態の所定のカード装着位置に装着された第１カードに引き抜き力が与えられた状態を示す平面図である。
【図１０】本発明の第２実施形態を示す図で、（ａ）図は平面図、（ｂ）図は正面図、（ｃ）図は側面図、（ｄ）図は（ａ）図のＤ−Ｄ断面図である。
【図１１】図１０に示す第２実施形態で使用される基準幅を有する第１カードを示す図で、（ａ）図は平面図、（ｂ）図は側面図、（ｃ）図は裏面図、（ｄ）図は背面図である。
【図１２】従来技術に係る不具合を説明する図である。
【図１３】従来技術に係る不具合を説明する図である。
【図１４】従来技術においてカードに引き抜き方向の力が与えられた状態を示す図である。
【符号の説明】
１    第１カード
１ａ  接触部材
１ｂ  前端部
１ｃ  段差部
１ｄ  段差部
１ｅ  山形部
１ｆ  第１凹部
１ｆ１  前縁部
１ｆ２  左縁部
１ｆ３  右縁部
１ｆ４  後縁部
１ｇ  第２凹部
１ｇ１  前縁部
１ｇ２  左縁部
１ｇ３  右縁部
１ｇ４  後縁部
１ｈ  溝部
１ｈ１  前縁部
１ｈ２  後縁部
２    第２カード
２ａ  第１接触部材
２ｂ  第２接触部材
２ｃ  前端部
２ｄ  段差部
２ｅ  段差部
２ｆ  段差部
２ｇ  第１山形部
２ｈ  第２山形部
２ｉ  第１凹部
２ｉ１  前縁部
２ｉ２  左縁部
２ｉ３  右縁部
２ｉ４  後縁部
２ｊ  第２凹部
２ｊ１  前縁部
２ｊ２  左縁部
２ｊ３  右縁部
２ｊ４  後縁部
３    コネクタ装置
４    ハウジング（本体）
５    カバー部材（本体）
６    第１端子部材
７    第２端子部材
８    右側挿入空間
９    左側挿入空間
１１  凸部
１２  凸部
１３  凸部
１４  挿入口
１５  第１係合部材
１５ａ  凸部
１６  第２係合部材
１６ａ  凸部
２５  第１係合部材
２５ａ  凸部
２６  第２係合部材
２６ａ  凸部
【図１】
2004296268.tif 000003
【図２】
2004296268.tif 000004
【図３】
2004296268.tif 000005
【図４】
2004296268.tif 000006
【図５】
2004296268.tif 000007
【図６】
2004296268.tif 000008
【図７】
2004296268.tif 000009
【図８】
2004296268.tif 000010
【図９】
2004296268.tif 000011
【図１０】
2004296268.tif 000012
【図１１】
2004296268.tif 000013
【図１２】
2004296268.tif 000014
【図１３】
2004296268.tif 000015
【図１４】
2004296268.tif 000016